(57)【要約】【課題】スキャンする原稿において修正液等で修正された箇所を検出可能なスキャナシステムおよびスキャン対象の修正箇所検出方法を提供する。【解決手段】スキャナシステム１０は、検出モードの設定操作およびスキャンの開始要求操作等のユーザの入力操作を受け付ける操作部１１と、エラー表示および検出結果の表示等の表示を行い、ユーザに情報を視覚的に提示する表示部１２と、紙面上に記載された情報を画像情報に変換する読取部１３と、読み取った画像情報から修正箇所（修正領域）を検出する修正箇所検出部１４と、読み込んだ画像情報および検出結果を管理するジョブ管理部１５と、操作部１１、表示部１２、読取部１３、修正箇所検出部１４およびジョブ管理部１５を制御する制御部１６とを具備する。そして、読取部１３が検出モードで得た画像情報に基づき修正箇所検出部１４がスキャン対象となる元の紙原稿における白色部分（下地部分と修正箇所）の色の濃淡を検出して、元の紙原稿における修正液等の修正箇所を検出することができる。【選択図】  図１
2006261993.tif 000002
【特許請求の範囲】
【請求項１】
入力操作を受け付ける操作部と、
情報を視覚的に提示する表示部と、
スキャンする際の条件を設定したスキャン設定情報を取得して検出モードが入の場合には検出モードで原稿に記載された情報を画像情報に変換する読取部と、
前記原稿の修正箇所の有無を判定するための検出修正判定条件設定情報を取得し、前記画像情報から前記原稿の各ページに対して原稿修正手段により修正された修正箇所を検出し、前記修正箇所の検出結果と対応した修正箇所検出結果情報を作成する修正箇所検出部と、
前記画像情報および修正箇所検出結果情報を電子情報として管理するとともに、管理している画像情報および修正箇所検出結果情報を読み出し可能な前記ジョブ管理部と、
前記操作部、表示部、読取部、修正箇所検出部およびジョブ管理部を制御する制御部とを具備することを特徴とするスキャナシステム。
【請求項２】
前記修正箇所検出部が、前記原稿に修正箇所が有ると判定した場合、前記修正箇所検出結果情報ととともにスキャンを実行するか否かを問い合わせる旨の表示を前記表示部にするように構成されたことを特徴とする請求項１記載のスキャナシステム。
【請求項３】
前記修正箇所検出部が、前記原稿に修正箇所が有ると判定した場合、前記読取部がスキャンを実行するための条件としてユーザの識別情報の入力を要求するように構成されたことを特徴とする請求項１記載のスキャナシステム。
【請求項４】
前記修正箇所検出部が、前記原稿に修正箇所が有ると判定した場合、前記修正箇所検出結果情報ととともにスキャンを禁止する旨の表示を前記表示部に行い、かつ、前記読取部がその後のスキャンを停止するように構成されたことを特徴とする請求項１記載のスキャナシステム。
【請求項５】
さらに警報部を具備し、前記修正箇所検出部が前記原稿について修正箇所を検出した場合、前記警報部を駆動させるように構成されたことを特徴とする請求項１記載のスキャナシステム。
【請求項６】
認証を行う認証手段をさらに具備し、前記認証手段が認証を与えた場合に前記検出モードのスイッチ状態の切り替えを許可するように構成されたことを特徴とする請求項１記載のスキャナシステム。
【請求項７】
前記ジョブ管理部は、スキャンした日時、スキャンした原稿の各ページにおける修正箇所検出結果をログとして予め設定した数量および容量の少なくとも一方を上限とした範囲内で保存することを特徴とする請求項１記載のスキャナシステム。
【請求項８】
認証局から取得した電子署名をファイルに付与する電子署名付与手段と、
認証局との通信インターフェイスをさらに具備し、前記電子署名付与手段が、前記通信インターフェイスを介して認証局から取得した電子書名を前記ログおよび前記画像情報に付与するように構成されたことを特徴とする請求項８記載のスキャナシステム。
【請求項９】
スキャン時のパラメータ設定を下地がより黒くなるように設定し、スキャンを実行して得られた画像情報について色の濃淡を検出することで、スキャン対象の下地部分と前記スキャン対象中の修正部分とを識別することを特徴とするスキャン対象の修正箇所検出方法。
【請求項１０】
前記スキャン対象の下地部分と前記スキャン対象中の修正部分との識別は、スキャンした画像情報および修正判定条件設定情報に基づいてなされ、前記修正判定条件設定情報には、相対的に濃度の薄い領域の面積についての閾値および相対的に濃度の薄い領域が線状に連続する長さについての閾値の少なくとも一方の情報が含まれることを特徴とする請求項１０記載のスキャン対象の修正箇所検出方法。
【請求項１１】
検出モードでスキャンを行う検出モードスキャンステップと、
この検出モードスキャンステップで取得した画像情報および修正判定条件設定情報に基づきスキャンを行ったスキャン対象の各ページに修正箇所が含まれているか否かを検出する修正箇所検出処理ステップと、
この修正箇所処理検出ステップで修正箇所を検出した場合に警告メッセージを発する警告ステップとを具備することを特徴とするスキャン対象の修正箇所検出方法。
【発明の詳細な説明】
【技術分野】
【０００１】
本発明は、文書等を画像情報として抽出する技術に係り、特に、文書のスキャン時に当該文書において修正液等により修正された箇所を検出するスキャナシステムおよびスキャン対象の修正箇所検出方法に関する。
【背景技術】
【０００２】
例えば、特許文献１に記載するように、紙文書をスキャナで読み取り、画像（電子データ）として保管した複数の電子文書について、２つの電子文書を比較して原稿上における相違箇所を表示するスキャナシステムおよびスキャン対象の修正箇所検出方法がある。
【特許文献１】特開平７−２８７７３８号公報
【発明の開示】
【発明が解決しようとする課題】
【０００３】
上述したスキャナシステムおよびスキャン対象の修正箇所検出方法によれば、例えば、修正液、修正テープ、その他これに類する手段（以下、修正液等とする）の原稿修正手段による修正が認められていない紙文書であっても、スキャナで読み取り、画像（電子データ）として保管することができる。
【０００４】
しかしながら、修正液等で修正された文書をスキャナで読み取った際に、元々、白領域だった用紙の空白部分も修正液等により白領域となった修正部分も同じ白領域として画像になることがあり、区別できない場合がある。これでは、修正液等での修正が認められていない紙文書が電子文書化されて保管された場合、文書の信頼性を担保することができず、電子文書化を進展させる上で障害となりかねない。
【０００５】
また、上述したスキャナシステムおよびスキャン対象の修正箇所検出方法によれば、二つの文書の比較はできるものの、比較対象となる原書が既に消失している等の事情に比較ができない場合には、修正液等による修正の有無を識別することは事実上不可能である。
【０００６】
本発明は上述した課題を解決するためになされたものであり、スキャンする原稿において修正液等で修正された箇所を検出可能なスキャナシステムおよびスキャン対象の修正箇所検出方法を提供することを目的とする。
【課題を解決するための手段】
【０００７】
本発明に係るスキャナシステムは、上述した課題を解決するため、請求項１に記載したように、入力操作を受け付ける操作部と、情報を視覚的に提示する表示部と、スキャンする際の条件を設定したスキャン設定情報を取得して検出モードが入の場合には検出モードで原稿に記載された情報を画像情報に変換する読取部と、前記原稿の修正箇所の有無を判定するための検出修正判定条件設定情報を取得し、前記画像情報から前記原稿の各ページに対して原稿修正手段により修正された修正箇所を検出し、前記修正箇所の検出結果と対応した修正箇所検出結果情報を作成する修正箇所検出部と、前記画像情報および修正箇所検出結果情報を電子情報として管理するとともに、管理している画像情報および修正箇所検出結果情報を読み出し可能な前記ジョブ管理部と、前記操作部、表示部、読取部、修正箇所検出部およびジョブ管理部を制御する制御部とを具備することを特徴とする。
【０００８】
本発明に係るスキャン対象の修正箇所検出方法は、上述した課題を解決するため、請求項９に記載したように、スキャン時のパラメータ設定を下地がより黒くなるように設定し、スキャンを実行して得られた画像情報について色の濃淡を検出することで、スキャン対象の下地部分と前記スキャン対象中の修正部分とを識別することを特徴とする。
【０００９】
また、本発明に係るスキャン対象の修正箇所検出方法は、上述した課題を解決するため、請求項１１に記載したように、検出モードでスキャンを行う検出モードスキャンステップと、この検出モードスキャンステップで取得した画像情報および修正判定条件設定情報に基づきスキャンを行ったスキャン対象の各ページに修正箇所が含まれているか否かを検出する修正箇所検出処理ステップと、この修正箇所処理検出ステップで修正箇所を検出した場合に警告メッセージを発する警告ステップとを具備することを特徴とする。
【発明の効果】
【００１０】
本発明に係るスキャナシステムおよびスキャン対象の修正箇所検出方法によれば、スキャンする原稿において修正液等で修正された箇所を検出することができる。また、従来のスキャナシステムおよびスキャン対象の修正箇所検出方法と比較して、ユーザが、修正液等で修正されている文書を故意に、または誤ってスキャンすることをより防止する効果を高めることができる。
【発明を実施するための最良の形態】
【００１１】
以下、本発明に係るスキャナシステムおよびスキャン対象の修正箇所検出方法について、添付の図面を参照して説明する。
【００１２】
図１に、本発明に係るスキャナシステムの一実施例であるスキャナシステム１０の基本的な機能構成を概略的に表した概略図を示す。
【００１３】
図１によれば、スキャナシステム１０は、検出モードの設定操作およびスキャンの開始要求操作等のユーザの入力操作を受け付ける操作部１１と、エラー表示および検出結果の表示等の表示を行い、ユーザに情報を視覚的に提示する表示部１２と、原稿（紙面）に記載された情報を画像情報に変換する読取部１３と、画像情報から読み取った原稿の各ページに対して修正箇所（修正領域）を検出する修正箇所検出部１４と、読み込んだ画像情報および検出結果を管理するジョブ管理部１５と、上記処理部１１，１２，１３，１４，１５を制御する制御部１６とを具備する。
【００１４】
操作部１１は、検出モードの設定操作およびスキャンの開始要求操作等のユーザの入力操作を受け付ける機能を有する。操作部１１が受け付けた操作内容は、入力操作情報として制御部１６に送られる。
【００１５】
表示部１２は、スキャナシステムからユーザに情報を視覚的に提示する機能を有する。表示部１２が制御部１６から表示情報を受け取ると、表示情報に対応した表示が表示部１２になされる。修正箇所の検出結果は、表示部１２に表示される。
【００１６】
尚、操作部１１および表示部１２は、実際のシステムにおいて、それぞれが独立した処理部として設けられている必要はなく、一体的に構成された操作／表示部として構成されていても構わない。
【００１７】
読取部１３は、少なくとも１枚以上の用紙を有する（１ページ以上の）原稿を読み取り、画像情報に変換する機能、すなわち、スキャン機能を有する。また、読取部１３は、例えば、原稿種類、濃度、下地調整値およびシャープネス等の画像情報に変換（スキャン）する際の条件を設定したスキャン設定情報を取得する。スキャン設定情報は、例えば、スキャン設定ファイル１８等の電子情報として記録される。読取部１３は、スキャン設定ファイル１８を参照することでスキャン設定情報を取得することができる。
【００１８】
スキャン設定情報は、少なくとも、通常のスキャンを行う場合（以下、通常モードとする）の設定情報と、修正原稿の検出を目的としたスキャンを行う場合（以下、検出モードとする）の設定情報とを有する。もちろん、通常モードの設定情報と検出モードの設定情報とは各パラメータ値が異なる。また、スキャン設定情報には、検出モードがＯＮ（入）かＯＦＦ（切）か等のモードの設定状態についての情報も含まれる。
【００１９】
さらに、読取部１３は、例えば、検出モードがＯＮ（入）かＯＦＦ（切）か等の検出モードのスイッチ状態を認識し、認識したスイッチ状態に応じたスキャンを行うことができる。すなわち、検出モードがＯＮならば検出モードで、ＯＦＦならば通常モードでのスキャンを行う。
【００２０】
尚、読取部１３は、スキャン設定情報をスキャン設定ファイル１８から取得せずに、操作部１１から入力を受け付けるように切り替えることもできる。
【００２１】
検出モードを選択した場合、読取部１３は、修正原稿の検出を目的としたスキャン設定情報に従ってスキャンを行い画像情報を生成する。検出モードでは、通常モードよりも読み取り対象の原稿の下地がより黒色に近い状態で画像情報が生成される。検出モードで得られる画像情報において、下地部分と修正液等の修正箇所とを対比すると、紙面上では、ほぼ同等の白色状態であったとしても、下地部分は黒色に近く、修正箇所は白色に近い状態という明らかな差を生じる。また、読取部１３は、読み込んだ原稿の画像情報を制御部１６に送る。
【００２２】
修正箇所検出部１４は、読取部１３が読み込んだ原稿の画像情報から原稿の各ページにおいて修正液や修正テープまたはこれに準ずるもの（以下、修正液等とする）の原稿修正手段によって修正された修正領域または修正箇所を検出する機能を有する（以下、修正箇所検出機能とする）。尚、修正液等により原稿を修正することを手修正として説明する。
【００２３】
修正箇所検出部１４は、修正箇所検出機能を用いて、制御部１６から読取部１３が読み取った画像情報における下地部分と修正箇所との識別を行うことができる。修正箇所検出部１４が正しく下地部分と修正箇所との識別を行うためには、読取部１３が検出モードで画像情報の変換を行っていることが必要となる。これは、修正箇所検出部１４が、下地部分と修正箇所との色の濃淡の違いを根拠として手修正された修正箇所の検出を行うためである。
【００２４】
修正箇所検出部１４が行う修正検出の判定は、例えば、相対的に濃度の薄い領域が一定面積よりも大きい場合および相対的に濃度の薄い領域が線状に所定の長さ以上連続している場合等の修正の有無を判定する判定条件を予め設定した情報（修正判定条件設定情報）を参照して行う。この修正判定条件設定情報は、例えば、修正判定条件設定ファイル１９等の電子情報として修正箇所検出部１４に格納される。
【００２５】
修正箇所（修正領域）の検出結果に係る情報は、修正箇所検出部１４が、制御部１６に送る。
【００２６】
ジョブ管理部１５は、読み込んだ画像情報および検出結果を管理する機能を有する。つまり、ジョブ管理部１５は、読取部１３が読み込んだ画像情報を、例えば、画像ファイル２０等の電子情報として、修正検出部１４が修正箇所を検出した検出結果を、例えば、修正箇所検出結果ファイル２１等の電子情報として自己に設けられるデータ記録領域や図外に設けられる任意のデータ記録領域に保存したり、読み出したりすることができる。画像情報および修正箇所の検出結果は、制御部１６から受け取る。
【００２７】
制御部１６は、操作部１１、表示部１２、読取部１３、修正箇所検出部１４およびジョブ管理部１５を制御する機能を有し、操作部１１、表示部１２、読取部１３、修正箇所検出部１４およびジョブ管理部１５間で情報のやり取りを行うことができる。
【００２８】
具体的に説明すると、制御部１６は、操作部１１からユーザが入力した入力操作情報を受け取る。そして、制御部１６は、入力された操作の内容に応じて、表示部１２、読取部１３、修正箇所検出部１４およびジョブ管理部１５を制御する。そして、入力操作の内容に対応する必要な処理を実行する。
【００２９】
また、制御部１６は、読取部１３が原稿の読み取りを得られた画像情報を読取部１３から受け取る。この画像情報は、ジョブ管理部１５に送られ、ジョブ管理部１５が受け取った画像情報を管理する。
【００３０】
さらに、制御部１６は、修正箇所検出部１４が修正箇所（修正領域）の検出処理を行った結果に関する修正結果情報を受け取る。この修正結果情報は、ジョブ管理部１５に送られ、ジョブ管理部１５が受け取った修正結果情報を管理する。尚、修正箇所を検出した場合、制御部１６は、修正箇所が検出された旨の警告メッセージを表示するための表示情報を生成して表示部１２に送る。
【００３１】
このように構成されるスキャナシステム１０は、検出モードを実行できる読取部１３と、読取部１３が変換した画像情報にから修正箇所（修正領域）を検出できる修正箇所検出部１４とを具備するので、修正箇所検出部１４が検出モードで得られた画像情報から紙原稿の白色部分（下地部分と修正箇所）の色の濃淡を検出することができ、手修正された箇所、すなわち、修正液等で修正された修正箇所を検出することができる。
【００３２】
また、修正箇所を検出した際には、警告メッセージを発するので、従来のスキャナシステムと比較して、ユーザが、手修正されている文書を故意に、または誤ってスキャンすることを防止する効果をより高めることができる。さらに、修正箇所を検出した場合にスキャンを禁止する設定とすれば、ユーザが、手修正されている文書を故意に、または誤ってスキャンすることを禁止する効果をより高めることもできる。
【００３３】
さらにまた、修正箇所を検出した際には警告メッセージを発するので、少なくとも、ユーザの了解のもとで、スキャンがなされたことがわかるようになる。
【００３４】
尚、スキャナシステム１０は、図外の警報部をさらに具備していても良い。制御部１６が修正領域を検出した場合に警報部に修正箇所が検出された旨を表す警告音や音声を出力させることができる。
【００３５】
さらに、表示部１２に警告メッセージとともに、強制的にスキャンを実行するか否かを問い合わせるようにスキャナシステム１０を構成すれば、操作部１１がユーザから実行する旨の操作を受け付けた場合において、強制的にスキャンを実行することができる。
【００３６】
さらにまた、パスワード等での認証機能を有する認証手段をさらに具備させて、検出モードのＯＮとＯＦＦとの切り替えや、スキャン設定情報の変更を一定のユーザしか行えないようにスキャナシステム１０を構成することもできる。
【００３７】
一方、ジョブ管理部１５がスキャンした日時、スキャンした原稿の各ページにおける修正箇所検出結果をログ（電子情報）として、予め設定した任意数量またはデータ容量分を保存するようにスキャナシステム１０を構成することができる。
【００３８】
また、ユーザが強制的に修正箇所が検出された文書をスキャンしたい場合には、ユーザがユーザの識別情報（例えば、名前、ユーザＩＤ等）を入力しないと、読取部１３がスキャンを開始しないようにスキャナシステム１０を構成することもできる。
【００３９】
さらに、強制的にスキャンを実行した場合には、ジョブ管理部１５がユーザの識別情報およびログ（スキャン日時と各ページの修正箇所検出結果の情報）の少なくとも何れかの情報（以下、スキャン情報とする）を画像情報とともに、例えばファイル等の電子情報として保存することができる。
【００４０】
さらにまた、外部の認証局から取得した電子署名を電子情報に付与する電子署名付与手段を具備させたスキャナシステム１０によれば、電子署名付与手段が、電子署名をスキャンした画像およびスキャンした画像についてのスキャン情報の両方に付与することができるので、スキャン情報についても改竄（かいざん）されていないことを保証することができる。
【００４１】
次に、本発明に係るスキャン対象の修正箇所検出方法について説明する。
【００４２】
本発明に係るスキャン対象の修正箇所検出方法は、スキャナシステム１０が修正箇所検出手順を実行することでなされる。
【００４３】
図２は、スキャナシステム１０が行う修正箇所検出手順について、処理順序を追って説明した処理処理フロー図である。
【００４４】
修正箇所検出手順は、検出モードがＯＮになっているか否かを判定する検出モード判定ステップ（ステップＳ１）と、検出モードでスキャンを行う検出モードスキャンステップ（ステップＳ２）と、この検出モードスキャンステップで取得した画像情報および修正判定条件設定情報に基づきスキャンを行った原稿の各ページに修正箇所が含まれているか否かを検出する修正箇所検出処理ステップ（ステップＳ３）と、この修正箇所処理検出ステップで修正箇所を検出した場合（ステップＳ４でＹＥＳの場合）に警告メッセージを発する警告ステップ（ステップＳ５）と、検出モードがＯＦＦ（ステップＳ１でＮＯの場合）および修正箇所処理検出ステップで修正箇所を検出しない場合（ステップＳ４でＮＯの場合）のいずれかの場合に画像スキャンを許可するスキャン許可ステップ（ステップＳ６）とを具備する。
【００４５】
修正箇所検出手順は、操作部１１がユーザからのスキャン実行要求を受け付けると、処理ステップが開始される（ＳＴＡＲＴ）。
【００４６】
修正箇所検出手順では、まず、ステップＳ１で検出モード判定ステップがなされる。検出モード判定ステップ（ステップＳ１）では、読取部１３が検出モードがＯＮになっているか否かを判定する。そして、検出モードがＯＮになっている場合（ステップＳ１でＹＥＳの場合）には、ステップＳ２に進み、ステップＳ２で検出モードスキャンステップがなされる。
【００４７】
検出モードスキャンステップ（ステップＳ２）では、読取部１３が、検出モードで、修正箇所の検出対象となる原稿のスキャンを行う。読取部１３が、検出モードで、修正箇所の検出対象となる原稿のスキャンを行い、当該紙原稿の画像情報に変換すると、検出モードスキャンステップを完了する。検出モードスキャンステップが完了すると、続いて、ステップＳ３で修正箇所検出処理ステップがなされる。
【００４８】
修正箇所検出処理ステップ（ステップＳ３）では、修正箇所検出部１４が検出モードスキャンステップで取得した画像情報に基づきスキャンを行った原稿の各ページに手修正を行った箇所、すなわち、修正液等で修正された箇所が含まれているか否かを検出する。
【００４９】
修正箇所検出部１４が修正箇所検出処理ステップを実行した結果、スキャンを行った原稿から手修正した箇所を検出した場合（ステップＳ４でＹＥＳの場合）、修正箇所検出部１４が手修正された箇所を検出した旨の修正箇所結果情報を制御部１６に送る。制御部１６に手修正された箇所が検出された旨の修正箇所結果情報を送られると、ステップＳ５に進み、ステップＳ５で警告ステップがなされる。
【００５０】
警告ステップ（ステップＳ５）では、修正箇所検出部１４から手修正箇所を検出した旨の修正箇所検出結果情報を受け取った制御部１６が、警告メッセージを表示するための表示情報を生成し、生成した表示情報を表示部１２へ送る。そして、制御部１６から表示情報を受け取った表示部１２は、表示情報に基づく警告メッセージを表示する。表示部１２に警告メッセージが表示されると、警告ステップを完了し、修正箇所検出手順の全処理ステップを完了する（ＥＮＤ）。
【００５１】
一方、検出モード判定ステップで検出モードがＯＦＦになっている場合（ステップＳ１でＮＯの場合）には、ステップＳ６に進み、ステップＳ６で、スキャン許可ステップがなされる。スキャン許可ステップでは、読取部１３が手修正箇所が検出されなかった箇所について、通常のスキャン、すなわち、通常モードまたはユーザが入力したパラメータ設定でのスキャンを許可する。読取部１３が手修正箇所が検出されなかった箇所について通常のスキャンを許可すると、ステップＳ６を完了し、修正箇所検出手順の全処理ステップを完了する（ＥＮＤ）。
【００５２】
また、修正箇所検出ステップで手修正した箇所が検出されなかった場合（ステップＳ４でＮＯの場合）、ステップＳ６に進み、ステップＳ６以降の処理ステップがなされる。
【００５３】
本発明に係るスキャン対象の修正箇所検出方法によれば、検出モードスキャンステップ、修正箇所検出処理ステップ、警告ステップおよびスキャン許可ステップを具備するので、検出モードがＯＮの場合において、修正箇所検出処理ステップにおいて、検出モードスキャンステップで得られた画像情報に基づきスキャン対象となる元の原稿において手修正された箇所、すなわち、修正液等で修正された修正箇所を検出することができる。
【００５４】
また、修正箇所検出処理ステップで手修正された箇所が検出された場合、警告ステップがなされるので、手修正箇所が検出された場合にユーザへ警告を促すことができる。さらに、修正箇所検出処理ステップで手修正箇所が検出されなかった場合、スキャン許可ステップで通常のスキャンが許可されるので、従来のスキャン対象の修正箇所検出方法と比較して、ユーザは、手修正されている文書を故意に、または誤ってスキャンすることを防止または禁止する効果をより高めることができる。
【００５５】
以上、本発明に係るスキャナシステムおよびスキャン対象の修正箇所検出方法によれば、検出モードでスキャンすることによって得られた画像情報から紙原稿の白色部分（下地部分と修正箇所）の色の濃淡を検出することができるので、スキャン対象となる元の原稿において修正液等で修正された修正箇所を検出することができる。
【００５６】
また、従来のスキャナシステムおよびスキャン対象の修正箇所検出方法と比較して、ユーザが、修正液等で修正されている文書を故意に、または誤ってスキャンすることをより防止する効果を高めることができる。
【図面の簡単な説明】
【００５７】
【図１】本発明に係るスキャナシステムの基本的な機能構成を概略的に表した概略図。
【図２】本発明に係るスキャナシステムが行う修正領域検出手順について、処理順序を追って説明した処理処理フロー図。
【符号の説明】
【００５８】
１０  スキャナシステム
１１  操作部
１２  表示部
１３  読取部
１４  修正箇所検出部
１５  ジョブ管理部
１６  制御部
１８  スキャン設定ファイル
１９  修正判定条件設定ファイル
２０  画像ファイル
２１  修正箇所検出結果ファイル
【図１】
2006261993.tif 000003
【図２】
2006261993.tif 000004